(57)【要約】      （修正有）【課題】連窓を構成する、ホロー部を備えた縦枠・方立にも取り付けられる、機能的な排水構造を備える下部キャップを提供する。【解決手段】方立の両側に縦枠を嵌合して２つの窓が連結された連窓で、２つの窓のうちいずれか一方の窓の縦枠は方立と嵌合しホロー部を備えてなるとともに、ホロー部の下面には排水孔を有するキャップを取り付け、方立とその両側の縦枠の下面を、下部キャップ４００によって塞ぎ、下部キャップには下部キャップ本体４１０と下部キャップ本体上面をに設けられた定形シール材４６０とを備え、排水孔から排出される水を外部へ導く経路を形成するように、定形シール材に切り欠き部４６２、４６３を形成する。【選択図】図３（ｂ）
2005155003.tif 000002
【特許請求の範囲】
【請求項１】
方立の両側に縦枠を嵌合して２つの窓が連結された連窓であって、
前記２つの窓のうちいずれか一方の窓の縦枠は前記方立と嵌合し、ホロー部を備えてなるとともに、前記ホロー部の下面には排水孔を有するキャップが取り付けられており、
前記方立とその両側の前記縦枠の下面は、下部キャップによって塞がれており、前記下部キャップは、下部キャップ本体と前記下部キャップ本体上面に設けられた定形シール材とを備え、
前記排水孔から排出される水を外部へ導く経路を形成するように、前記定形シール材には切欠き部が形成されている、ことを特徴とする連窓。
【発明の詳細な説明】
【技術分野】
【０００１】
本発明は、中空構造の縦枠を備えた連窓サッシに関する。
【背景技術】
【０００２】
左右サッシの縦枠相互を方立を介して連結した連窓において、連窓を構成するために用いられるそれぞれの窓の縦枠にはソリッド材のものが多用されている。また、連結部の上部、下部から雨水等が侵入するのを防ぐために方立、縦枠の上下にキャップを取り付けることによって被覆している。特に下部キャップには、方立、および縦枠内に溜まった雨水等を排水するための排水口が設けられている。
【０００３】
特許文献１には、ソリッド材で構成された縦枠を有する２つの窓が方立を介して連結されている連窓において、連結部の上下部より侵入した雨水等を、室外側に排水できる下部キャップが開示されている。図６には連結部水平断面、および下部キャップの該略図を示す。連結部の水平断面が表されている図６（ａ）に示されるように、ソリッド材で構成された枠体５１０、および５２０は、方立５０１に縦板５０２、および５０３を室外側連結板５０５と、室内側連結板５０６とで一体的に連結して中空部５０４を形成している。この枠体５１０、および５２０、並びに方立５０１には、図６（ｂ）に示す、雨水の侵入防止、および排水作用を行う下部キャップ５５０が装着される。下部キャップ５５０には、シーラー５５１ａ〜５５１ｃが被覆され、雨水の侵入を防いでいる。下部キャップ５５０の本体５５５は、横板５５６に設けられた凹部５５７が縦板５６０側に低くなるように形成されている。また、室外側に傾斜する横板５５６には、縦板５６０と反対側に排水穴５６５ａ、および５６５ｂが形成されている。この構成により、上記方立５０１の中空部５０４に雨水が侵入されず、さらに縦枠と下枠との連結部に侵入して流れ落ちた雨水は、傾斜した横板５５６の上面に沿って室外側に流れて排水溝５６５ａ、および５６５ｂより排水される。
【特許文献１】実開平６−５１４６４号公報
【発明の開示】
【発明が解決しようとする課題】
【０００４】
しかし、ソリッド材で形成された縦枠の場合、一定以上の長さを超えると中心部から内側に反るいわゆる「つづみ現象」や、外側に膨れる「太鼓現象」が生じていた。そのため、隣り合う連窓の、少なくとも一方が開閉可能に設けられたドア等である場合には、ラッチがかからない等の原因により開閉不良を招いていた。そのため、近年では開閉可能に設ける窓の縦枠を、ホロー部を備えたホロー材とし、外面を二枚板として中空部を設けて縦枠の変形を防いでいる。かかる連窓に設けられるホロー部を備えた縦枠・方立に対応可能な下部キャップの改良は殆どなされてきておらず、十分に機能的な排水構造を備えるものとはいえなかった。
【０００５】
そこで、本発明は、連窓を構成する、ホロー部を備えた縦枠・方立にも取り付けられる、機能的な排水構造を備える下部キャップを提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１に記載の発明は、方立（５０）の両側に縦枠を嵌合して２つの窓が連結された連窓（３００）であって、２つの窓のうちいずれか一方の窓（１０１）の縦枠（４）は方立と嵌合し、ホロー部（４´）を備えてなるとともに、ホロー部の下面には排水孔を有するキャップ（２０）が取り付けられており、方立とその両側の縦枠の下面は、下部キャップ（４００）によって塞がれており、下部キャップは下部キャップ本体（４１０）と下部キャップ本体上面に設けられた定形シール材（４６０）とを備え、排水孔（２３）から排出される水を外部へ導く経路を形成するように、定形シール材には切り欠き部（４６２、４６３）が形成されていることを特徴とする連窓により前記課題を解決する。
【０００８】
この請求項１に記載の発明によれば、二本の縦枠が方立を介して取り付けられた連窓において、縦枠のうち少なくとも片方が下面にキャップが取り付けられたホロー部を備えており、方立下面と、縦枠の最下面とが、一つの下部キャップによって被覆されるとともに、枠内に溜まった雨水等が、キャップの排水孔を通じて下部キャップから円滑に外部に排出される。
【発明の効果】
【０００９】
請求項１の発明によれば、二本の縦枠が方立を介して取り付けられた連窓において、縦枠のうち少なくとも片方が下面にキャップが取り付けられたホロー部を備えており、方立下面と、縦枠の最下面とが、一つの下部キャップによって被覆されるとともに、枠内に溜まった雨水等が、キャップの排水孔を通じて下部キャップから円滑に外部に排出されるようになる。
【００１０】
本発明のこのような作用及び利得は、次に説明する発明を実施するための最良の形態から明らかにされる。
【発明を実施するための最良の形態】
【００１１】
以下本発明を図面に示す実施形態に基づき説明する。
【００１２】
図１は、本発明にかかる連窓３００を室外側から示す正面図である。図示の連窓３００は、建物１の所定箇所に取り付けられる枠体１００、１５０、および２００が、方立５０、および２５０を介して取り付けられている。
【００１３】
枠体１００は、上枠１、下枠２、右縦枠３、および左縦枠４によって構成されており、図１には明示されていないが、枠体１００を構成する枠はいずれもホロー材が使用されている。また、左縦枠４には把手５を備えている。
【００１４】
枠体１００は、右縦枠３側を回転の中心とする左開きに開閉可能な片開きドア１０１として構成された可動障子１０を備えている。障子１０は、上框１１と、下框１２と、右縦框１３と、左縦框１４と、これらの框に固定されたガラスパネル１５とを備えている。
【００１５】
枠体１００の左方に設けられた枠体１５０は、上枠１５１、下枠１５２、右縦枠１５３、左縦枠１５４によって構成された枠体内にガラスパネル１６０が嵌め込まれた嵌め殺し窓とされている。
【００１６】
さらに、枠体１５０の左方に連結されている枠体２００は、上枠２０１、下枠２０２、右縦枠２０３、左縦枠２０４によって構成された枠体内にガラスパネル２１０が嵌め込まれた嵌め殺し窓とされている。また、図１には明示されていないが、枠体１５０、および２００はソリッド材で形成されている。
【００１７】
図２には、図１におけるII−II線に沿った水平断面を斜め下方の視点から見上げた斜視図を示す。枠体１００の左縦枠４は、左縦枠４の下面４ａは、左縦枠の室外面４ｂ、右側面４ｃ、左側面（本図には現れていない。）、および室内面（本図には現れていない。）によって四方を囲まれたホロー部４´を備えたホロー材が使用されており、筒形状の断面を呈している。また、下面４ａには、キャップ２０が取り付けられている。
【００１８】
左縦枠４の下端部のうち、右辺３０、および左辺（本図には現れていない。）は、室外側の短辺３０ａと室内側の長辺３０ｂとは高さが異なるように形成されている。右辺３０において、枠体１００の室外面４ｂと同じ高さに形成されている短辺３０ａは、長辺３０ｂとの境界において室内方向にわずかに斜め上方に切り込まれ、切り込みの最終点の高さから短辺３０ａと平行となるように長辺３０ｂがさらに室内側へと形成されている。本図には現れていないが、左辺においても短辺、および長辺が同様の形状に形成されている。キャップ２０は、水密性を保つために、左縦枠４の上記左辺、右辺３０、および室外辺３１、室内辺（本図には現れていない。）の形状に沿って形成されている。
【００１９】
キャップ２０は、低部２１と、高部２２とで構成されており、低部２１に排水孔２３が設けられている。キャップ２０には排水孔２３が設けられていることにより、枠体内部に溜まった雨水等が下部より水抜きされ、ホロー部４´により形成された左縦枠４の内部に水分が滞留しないようにされている。
【００２０】
枠体１００は、上記の状態で方立５０の右側に設けられた第一嵌合溝５１と、室外面４ｂの左端辺が室内方向へ略９０度屈曲するように形成された嵌合部２５とが嵌合することによって、連結されている。嵌合部２５、および第一嵌合溝５１はいずれも長手方向に延設されており、両者は十分な強度をもって連結されている。
【００２１】
一方、方立５０の左方には、枠体１５０が嵌合されるための第二嵌合溝５２が形成されている。枠体１５０の第二嵌合溝５２への嵌合部１７０は、枠体１５０の右縦枠１５３に形成されており、右縦枠１５３の室外面１５３ｂの右端辺が室内方向へ略９０度屈曲する形状に形成されている。嵌合部１７０、および第二嵌合溝５２はいずれも長手方向に延設されており、両者は十分な強度をもって連結されている。さらに方立５０の内部には、ねじ孔５３ａ、および５３ｂが設けられている。
【００２２】
また、図１に示されるように、枠体１００において、室内側に左縦枠４に形成された第一設置面２４と、枠体１５０において、室内側に右縦枠１５３に形成された第二設置面１５５とが設けられている。第一設置面２４、および第二設置面１５５の上部には、下部キャップ（図３参照）装着後にコーキング材２６０、および２６１が充填される。
【００２３】
上述した構造の、方立５０を介した、片開きドア１０１の枠体１００と、嵌め殺し窓の枠体１５０との連結部下部には、下部キャップが装着される。上記連窓３００においては、この下部キャップに最大の特徴を備えている。以下にその構造を詳述する。
【００２４】
図３は、下部キャップ４００を示した図である。下部キャップ４００は、キャップ本体と、シール材とを備えている。図３（ａ）には、下部キャップ４００の一部であるキャップ本体４１０を示す。キャップ本体４１０は、止水部４２０と、第一受け面４２１と、第二受け面４２２と、排水面４３０とを備えている。また、止水部４２０、および第一受け面４２１には、略垂直に固定面４４０が形成されている。
【００２５】
止水部４２０の右方向には、止水部４２０よりわずかに高くなるように第一受け面４２１が形成されている。第一受け面４２１においては僅かに左方室外よりであって、キャップ本体４１０においてはほぼ中央となる位置には、孔４２３ａ、および４２３ｂが設けられている。
【００２６】
また、止水部４２０の室外方向の辺からは室外下方向に向かって斜面４２４が形成されており、斜面４２４の最下端部からは、さらに室外方向に第二受け面４２２が形成されている。第二受け面４２２の右方向に隣接し、第一受け面４２１の室外側方向にあたる位置には、排水面４３０が設けられている。排水面４３０は、第一受け面４２１の室外方向の辺から室外下方向に向かって形成された斜面４２５の最下端部から室外方向に向かって形成されている。
【００２７】
図３中においては三種類の模様を施したハッチング部位が示されている。これらはいずれも水密ライン４４１〜４４３を示す。水密性が発揮されるためには、後に図３（ｂ）に関する説明において明らかにされる乾式のシール材をキャップ本体４１０に取り付けることが必須である。図３（ａ）においては、水密性の効果があらわれる部位について、予め下記に説明する。以下、水密ライン４４１〜４４３に関する説明においては、図２も参照しつつ説明する。
【００２８】
水密ライン４４１は、上記左縦枠４、および左縦枠４に取り付けられたキャップ２０に対応する部位に配置されている。水密ライン４４１は、止水部４２０と、第二受け面４２２とに及んで形成されている。止水部４２０に設けられている水密ライン４４１ａは、図２に示されたキャップ２０の高部２２に対応している。また、第二受け面４２２に設けられている水密ライン４４１ｂは、キャップ２０の低部２１に対応している。図３（ａ）内に示された丸枠Ａで囲んだ範囲を拡大した図を白抜きの矢印の先に示す。丸枠Ａ内において、第二受け面４２２中のハッチングで示された水密ライン４４１ｂ以外の白地で示された部位は、雨水等を流通させる部位である。丸枠Ａ内には、キャップ２０に形成された排水孔２３（図２参照）に対応する部位が網かけにより表され、参照符号２３´により示されており、当該部位は第二受け面４２２の白地で示された部位の上方向である。従って、枠体内部に溜まった雨水等が、排水孔２３下部より水抜きされると、その雨水は第二受け面４２２に排出される。
【００２９】
第二受け面４２２に排出された雨水の行き場について、以下に図３（ａ）を参照して説明する。キャップ本体４１０の室外側に示された矢印ｙ１、およびｙ２は、雨水がキャップ本体４１０から排出される方向を示している。第二受け面４２２に排出された雨水は、第二受け面４２２の白地で示された部位を通り道として矢印ｙ１方向に排出される。従って、水密ライン４４１によってホロー材で形成された左縦枠４内に侵入した雨水等が、確実に排出される。
【００３０】
一方、水密ライン４４２は、方立５０に対応する部位に配置されている。水密ライン４４２は、第一受け面４２１と、排水面４３０とに分断されて形成されている。第一受け面４２１に設けられている水密ライン４４２ａは、図２に示されたねじ孔５３ａ、および５３ｂが示された本体部５３を構成する枠部下面に対応して配置されている。水密ライン４４２ａの形状によって、水密ライン４４２ａ内部に設けられた白地で図示された水通し部は、方立５０内部の本体部５３内部の空洞部に面し、方立５０内部に侵入した雨水等を受けるよう構成されている。かくして、第一受け面４２１に排出された雨水は、水密ライン４４２ａの途切れた室外方向へと流れ、さらに斜面４２５を流れ下り、排水面４３０へと至る。排水面４３０には、方立５０の下面である室外面５０ａ（図２参照）に対応して配置されている水密ライン４４２ｂが設けられている。排水面４３０に至った雨水は、水密ライン４４２ｂやシール材４６０（図３（ｂ）参照）に排水経路が導かれ、矢印ｙ１、もしくはｙ２のいずれかの方向より排水される。従って、水密ライン４４２によって方立５０に溜まった雨水等が、確実に排出される。
【００３１】
また、水密ライン４４２ｂの左斜め前方には、立設片Ｐが形成されている。立設片Ｐは、上記嵌合部２５、および第一嵌合溝５１（図２参照）の段差を覆うとともに、室外側からの雨水等の浸入を防いでいる。
【００３２】
水密ライン４４３は、図２に示されている右縦枠１５３の下面１５３ａに対応する部位に配置されている。水密ライン４４２は、第一受け面４２１と、排水面４３０とに及んで形成されている。図２に参照されるように、右縦枠１５３の下面１５３ａは最も低い部位に位置するＡ部と、最も高い部位に位置するＣ部と、それらの中間の部位に位置するＢ部とに分けられて形成されており、図３（ａ）に示される水密ライン４４３も、最も低い部位に位置するＡ´部と、最も高い部位に位置するＣ´部と、それらの中間の部位に位置するＢ´部とに対応されるように設けられている。水密ライン４４３やシール材４６０（図３（ｂ）参照）によって、雨水が右方へ侵入することが規制され、図２に示された右縦枠１５３と、方立５０との矢線Ｌ１で示された間隙部に侵入した雨水が、図３（ａ）に示された矢印ｙ２より排水される。従って、右縦枠１５３と、方立５０との間隙部に侵入した雨水が確実に排出される。
【００３３】
なお、固定面４４０の左右両端に破線で示された被充填部４４０ａ、および４４０ｂは、図２で示したコーキング材２６０、および２６１によって水密性が保持されるよう形成されている。
【００３４】
図３（ｂ）は、シール材４６０が装着された下部キャップ４００を示した図である。図示されるように、シール材４６０は、図２（ａ）に示されたキャップ本体４１０の形状に沿うように形成されている。さらに、シール材４６０は、左右および下方向にキャップ本体４１０よりわずかに大きく形成されており、水密性がより高められている。シール材４６０に設けられた当接面４６１は、上記方立５０と、方立５０を介して取り付けられている左縦枠４と右縦枠１５３との形状により構成された下面に隙間なく当接される。この当接によって、当接面４６１には図３（ａ）に示したように水密ライン４４１〜４４３が形成されるようになる。さらに当接面４６１には、矢印ｙ１、およびｙ２に対応するように切り欠き部４６２、および４６３が設けられている。これら切り欠き部４６２、および４６３に導かれて、雨水が下部キャップ４００より室外へと円滑に排出される。
【００３５】
また、当接面４６１には孔４６４ａ、および４６４ｂが形成されており、ねじを差し入れることができる。これらは後述するように、キャップ本体４００及びシール材４６０を方立５０下面側に固定するために使用される。
【００３６】
矢印ｙ１には、特に、キャップ２０に形成された排水孔２３（図２参照）からの雨水の流水経路を示す。
【００３７】
図３（ｃ）は、下部キャップ４００の側面図である。上記のとおり、シール材４６０は、キャップ本体４１０の固定面４４０の端面よりわずかに大きく形成されている。シール材４６０は、下部キャップ４００の取り付け前において矢線Ｌ２で示された幅で設けられている。下部キャップ４００が、所定の位置に取り付けられると、シール材４６０は押し潰され、約半分程度の厚みとなる。シール材４６０が押し潰されることにより、材料密度が高められ、水密性がさらに向上される。
【００３８】
シール材４６０と、キャップ本体４１０とは、キャップ本体４１０の固定面４４０に形成された孔４７２と、シール材４６０の固定部４６５に形成された孔とを貫通させて取り付けられるリベット４７４によって一面を固定される。当接面４６１と、当接面４６１に対応するキャップ本体４１０の固定（および左縦枠４、右縦枠１５３、および方立５０の固定）については図５において説明する。
【００３９】
図４は、下部キャップ４００の平面図である。左縦枠４のキャップ２０に形成された排水孔２３は、略Ｌ字型に切り欠かれた切り欠き部４６２の底部左の位置にわずかにかかるように配置されている。切り欠き部４６２が略Ｌ字型に切り欠かれた形状を有することによって、キャップ２０から下部キャップ４００の排水経路と、下部キャップ４００から室外への排水経路がオフセットされ、外部からの雨水が左縦枠４、および方立５０に侵入することがないという利点がある。
【００４０】
図５は、左縦枠４、右縦枠１５３、および方立５０に下部キャップ４００が取り付けられた様子を示した斜視図である。図５には室内側の様子が表れている。図示のとおり、下部キャップ４００は左縦枠４、右縦枠１５３、および方立５０の下面に隙間なく密着されて取り付けられている。縦枠４に設けられた第一設置面２４と、右縦枠１５３に設けられた第二設置１５５とは同一平面となるように形成されており、固定面４４０もまた密着するよう固定されている。キャップ本体４１０に設けられた孔４２３ａ、および４２３ｂと、当接面４６１（本図には現われていない。）に設けられた孔４６４ａ、４６４ｂには、それぞれねじ４７０、および４７１が差込まれ、方立５０に形成されたねじ孔５３ａ、５３ｂに螺合される。螺合によって、左縦枠４、右縦枠１５３、および方立５０の下面に、キャップ本体４１０にシール材４６０が押し潰されるようにして両者が一体となって固定される。この固定によって、キャップ本体４１０とシール材４６０とにより、水密ライン４４１〜４４３が形成される。
【００４１】
さらに、下部キャップ４００と、左縦枠４、右縦枠１５３、および方立５０とはコーキング材によって止水される。第一設置面２４と、第二設置１５５には、下部キャップ４００の取り付け前に上記のとおりコーキング材２６０、および２６１が充填される。充填後、下部キャップ４００を固定し、コーキング材２６２が充填されて止水される。コーキング材２６０、２６１、およびコーキング材２６２が、第一設置面２４と、第二設置面１５５を介して連続的に充填されていることにより、雨水等の室内側への漏水が防止され、室外側の矢印ｙ１、ｙ２方向に確実に排水される。
【００４２】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う連窓もまた本発明の技術的範囲に包含されるものとして理解されなければならない。
【図面の簡単な説明】
【００４３】
【図１】連窓を室外側から示す正面図である。
【図２】図１におけるII−II線に沿った水平断面を斜め下方から見上げた斜視図である。
【図３（ａ）】キャップ本体を示す斜視図である。
【図３（ｂ）】下部キャップを示す斜視図である。
【図３（ｃ）】下部キャップを示す断面図である。
【図４】下部キャップの平面図である。
【図５】左縦枠、右縦枠、および方立に下部キャップが取り付けられた様子を示す斜視図である。
【図６】従来例を示す図である。
【符号の説明】
【００４４】
４  縦枠
４´  ホロー部
２０  キャップ
２３  排水孔
５０  方立
１０１  片開きドア（窓）
３００  連窓
４００  下部キャップ
４１０  下部キャップ本体
４６０  定形シール材
４６２  切り欠き部
４６３  切り欠き部
【図１】
2005155003.tif 000003
【図２】
2005155003.tif 000004
【図３（ａ）】
2005155003.tif 000005
【図３（ｂ）】
2005155003.tif 000006
【図３（ｃ）】
2005155003.tif 000007
【図４】
2005155003.tif 000008
【図５】
2005155003.tif 000009
【図６】
2005155003.tif 000010